(57)【要約】      （修正有）【課題】犬の散歩中にフン取り器の手持ち歩きが楽になって面倒でなくなり、手さげ袋や手さげバッグの中に収納をしやすくした袋止め軸折り畳み付き犬のフン取り器を提供する。【解決手段】犬のフン取り器をコンパクトにするために、切り込み口１３と穴１４のある袋止め軸１５を寄せ受け筒１２の筒背部の上面に蝶番１６と鋏め鋲１７で取り付け一体化して、袋止め軸１５を水平から、折りたたみが出来る様にして、フン取り込み筒部の全長を短くコンパクトにしたことを特徴とする。【選択図】図１
0003165366.tif 000002
【実用新案登録請求の範囲】
【請求項１】
１、筒の前面に、袋止め割れ目Ａ（１）を取り付けた穴Ａ（２）のある寄せ板（３）と、掛け穴（４）のあるクリップＡ（５）を一体化したもので開口部を開閉する、寄せ板部。
２、ストラップ（６）を取り付けた掛け金（７）を、掛け金取り付け穴（８）に取り付けたクリップＢ（９）を、袋止め割れ目Ｂ（１０）を取り付けた、穴Ｂ（１１）のある寄せ受け筒（１２）の筒前部の上面に設け、形成して一体化する。
３、次に、切り込み口（１３）と穴（１４）のある袋止め軸（１５）を、寄せ受け筒（１２）の筒背部の上面に、蝶番（１６）と
0003165366.tif 000007
を水平から折り畳みが出来る様にして、それぞれ設け一体化したもので、犬のフンを受ける、寄せ受け筒部。
４、寄せ板部のクリップＡ（５）と寄せ受け筒部のクリップＢ（９）とを対向させてバネ（１８）で合体して、クリップを形成した犬のフン取り器に、袋（１９）
0003165366.tif 000008
軸折り畳み付き犬のフン取り器。
【考案の詳細な説明】
【技術分野】
【０００１】  この考案は、犬が散歩中に路上、公園、広場（原ぱ）等に、犬がフンをした時や庭、犬小屋回りにフンをした時に、袋を取り付けた、フン取り器で、犬のフンをハサミ寄せて、袋の中に簡単に犬のフンを取り込んで、フンの取り除き処理作業が出来る犬のフン取り器に関するものてある。
【背景技術】
【０００２】  従来の、犬のフン取り除き処理に使用していた、犬のフン取り器（実用新案登録証−登録第３１２４９９１号−考案の名称−犬のフンハサミ寄せ取り器）や（実用新案登録証−登録第３１４１２５２号−考案の名称−親子袋を取り付けた犬のフン取り器）又は（実用新案登録証−登録第３１４９４９３号−考案の名称−ハメ込み底蓋付き犬のフン取り器）の犬のフン取り器では、犬のフンを取り込む、寄せ受け筒と袋止め軸は一体化して、固定しているので、寄せ受け筒部の全長が長くなり大型となる、よって、コンパクトにする事が出来なかった。
【考案の開示】
【考案が解決しようとする課題】
【０００３】  従来の犬のフン取り器は、次のような欠点があった。
従来の切り込み口のある袋止め軸は、寄せ受け筒の筒背部の上面に設け一体化して、固定していたので、寄せ受け筒プラス袋止め軸となる、全長が長くなるから犬のフン取り器は大型となる（特に袋（１９）を取り付けた場合はかさ張る）ので、犬の散歩中にフン取り器を持って歩く時に嵩張り、手持ち歩きが面倒であった、又、犬のフン取り器を手さげ袋、又は、手さげバッグの中に収め込む場合は、嵩張り収納がやりにくかった。
【課題を解決するための手段】
【０００４】  本考案の、犬のフン取り器の切り込み口（１３）と穴（１４）のある袋止め軸（１５）を寄せ受け筒（１２）に固定しないで
0003165366.tif 000003
寄せ受け筒（１２）の筒背部の上面に取り付け袋止め軸（１５）を水平から、上方に折り畳みが出来る様にしたので、上方に折り畳んだ場合は寄せ受け筒部の全長が短くなる事で、コンパクトに出来る、よって、犬のフン取り器の小型化で、嵩張らないので犬の散歩中、フン取り器の手持ち歩きが楽になって面倒でなくなる、そして、フン取り器を手さげ袋、又は、手さげバッグの中に収納をしやすくなった。
【考案の効果】
【０００５】１、本考案の、袋止め軸（１５）を折り畳みに出来る様にした事で、フン取り込み部の全長を短くする事が出来たので、袋止め軸（１５）を水平から、上方に折り畳んだ場合は、フン取り器を、嵩張らない様に、コンパクトに出来る。フン取り器を嵩張らない様に、小型化したので、犬の散歩中に、フン取り器の手持ち歩きが楽になって面倒でなくなった、又、持ち歩き手さげ袋や、手さげバッグの中にフン取り器を収納しやすくなった。
２、袋止め軸（１５）の切り込み口（１３）に、袋（１９）の両端を掛け止めて、フン取り器に、袋（１９）を取り付けて、クリップのツマミをつまんで、開口部を開いたり、閉じたりすると、寄せ板部に袋（１９）が引っ張られる。引っ張られた分だけ、従来のフン取り器は切り込み口（１３）に掛け止めていた袋（１９）の両端がズレて、ズレが戻らず、袋（１９）の全体がゆるみ、たくれて、ブカ、ブカになっていたので、袋（１９）の中に犬のフンの取り込みがやりにくかったが、本考案は、引っ張られた分だけ、袋（１９）の両端を掛け止めた、袋止め軸（１５）が折り畳みで引っ張る方向に動く為め、袋（１９）の両端のズレがなくなるので、袋（１９）のゆるみ、たくれ、ブカ、ブカが起きないので、袋（１９）の中に、犬のフンを取り込みやすくなったので、フンの取り除き処理作業がやりやすくなった。
【考案が実施するための最良の形態】
【０００６】  以下、本考案を実施するための最良の形態について説明する。
１、筒の前面に、袋止め割れ目Ａ（１）を取り付けた穴Ａ（２）のある寄せ板（３）と、掛け穴（４）のあるクリップＡ（５）を一体化したもので開口部を開閉する、寄せ板部。
２、ストラップ（６）を取り付けた掛け金（７）を、掛け金取り付け穴（８）に取り付けたクリップＢ（９）を、袋止め割れ目Ｂ（１０）を取り付けた、穴Ｂ（１１）のある寄せ受け筒（１２）の筒前部の上面に設け、形成して一体化する。
３、次に、切り込み口（１３）と穴（１４）のある袋止め軸（１５）を寄せ受け筒（１２）の筒背部の上面に、蝶番（１６）と
0003165366.tif 000004
を水平から折たたみが出来る様にして、それぞれ設け一体化したもので、犬のフンを受ける、寄せ受け筒部。
４、寄せ板部のクリップＡ（５）と寄せ受け筒部のクリップＢ（９）とを対向させてバネ（１８）で合体して、クリップを形成した犬のフン取り器に、袋（１９）を取り
0003165366.tif 000005
畳み付き犬のフン取り器。
５、これを使用する時は、袋（１９）を取り付けた犬のフン取り器を、クリップの両方のツマミを手に持って、力を入れてつまんで、寄せ板（３）を広げて開口部を開いて、寄せ板（３）とフン取り込み口の間に犬がしたフンの位置がくる様に持って行き、ツマミをつまんだ力をゆるめて、寄せ板（３）でハサミ寄せて、袋（１９）を取り付けた、寄せ受け筒（１２）の中にフンを寄せ入れ取り込んで、寄せ板（３）で蓋をした、本考案の、犬のフン取り器を手で持ち上げて、袋（１９）を取り外して、取り込んだ犬のフンを取り除き処理をする。
【図面の簡単な説明】
【０００７】
【図１】本考案の斜視図である。
【図２】本考案の袋（１９）を除いた斜視図である。
【符号の説明】
【０００８】１    袋止め割れ目Ａ
２    穴Ａ
３    寄せ板
４    掛け穴
５    クリップＡ
６    ストラップ
７    掛け金
８    掛け金取り付け穴
９    クリップＢ
１０  袋止め割れ目Ｂ
１１  穴Ｂ
１２  寄せ受け筒
１３  切り込み口
１４  穴
１５  袋止め軸
１６  蝶番
0003165366.tif 000006
１８  バネ
１９  袋
【図１】
0003165366.tif 000009
【図２】
0003165366.tif 000010
【手続補正書】
【提出日】平成22年10月21日(2010.10.21)
【手続補正１】
【補正対象書類名】実用新案登録請求の範囲
【補正対象項目名】全文
【補正方法】変更
【補正の内容】
【実用新案登録請求の範囲】
【請求項１】
１．寄せ付け筒（１２）の前面に、袋止め割れ目Ａ（１）を取り付けた穴Ａ（２）のある寄せ板（３）と、掛け穴（４）のあるクリップＡ（５）を一体化したもので開口部を開閉する寄せ板部。
２．ストラップ（６）を取り付けた掛け金（７）を、掛け金取り付け穴（８）に取り付けたクリップＢ（９）を、袋止め割れ目Ｂ（１０）を取り付けた、穴Ｂ（１１）が寄せ受け筒（１２）の下面にある寄せ受け筒（１２）の筒前部の上面に設け、形成して一体化する。
３．次に、切り込み口（１３）と穴（１４）のある袋止め軸（１５）を、寄せ受け筒（１２）の筒背部の上面に、蝶番（１６）と▲鋏▼め鋲（１７）で取り付け一体化して、袋止め軸（１５）を水平から折り畳みが出来る様にして、それぞれ設け一体化したもので、犬のフンを受ける寄せ受け筒部。
４．寄せ板部のクリップＡ（５）と寄せ受け筒部のクリップＢ（９）とを対向させてバネ（１８）で合体して、クリップを形成した犬のフン取り器に、袋（１９）を取り付ける。
以上の如く構成された、袋止め軸折り畳み付き犬のフン取り器。